【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
第１基板と、
第２基板と、
前記第１基板と前記第２基板との間に狭持される液晶とを有する液晶表示パネルを備え、マトリクス状に配置された複数の画素を有する液晶表示装置であって、
前記第２基板は、タッチパネルの検出電極を有し、
前記各画素は、画素電極と対向電極とを有し、
前記対向電極には画像表示に用いられる対向電圧と、タッチ位置の検出に用いられるタッチパネル走査電圧が印加され、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、
前記各検出電極毎に設けられ、一端が前記各検出電極に接続されるキャリブレーション容量素子を有し、
タッチ位置検出処理前に、前記検出電極に基準電圧がプリチャージされて、キャリブレーション容量素子の前記一端に基準電圧が印加され、かつ、前記キャリブレーション容量素子の他端に基準電圧が印加され、
タッチ位置検出処理時に、前記タッチパネルの走査電極となる対向電極には、前記タッチパネル走査電圧が印加され、
かつ、前記各キャリブレーション容量素子の前記他端にキャリブレーション電圧を供給する手段を有することを特徴とする液晶表示装置。
【請求項２】
第１基板と、
第２基板と、
前記第１基板と前記第２基板との間に教示される液晶とを有する液晶表示パネルを備え、マトリクス状に配置された複数の画素を有する液晶表示装置であって、
前記第２基板は、タッチパネルの検出電極を有し、
前記各画素は、画素電極と対向電極とを有し、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、前記各ブロックの対向電極には画像表示に用いられる対向電圧と、タッチ位置の検出に用いられるタッチパネル走査電圧が印加され、
前記各検出電極毎に設けられ、一端が前記各検出電極に接続されるキャリブレーション容量素子と、
前記各検出電極と前記分割された各ブロックの対向電極との交点毎のキャリブレーションデータを記憶するメモリ素子とを有し、
タッチ位置検出処理前に、前記検出電極に基準電圧がプリチャージされて、キャリブレーション容量素子の前記一端に基準電圧が印加され、かつ、前記キャリブレーション容量素子の他端に基準電圧が印加され、
タッチ位置検出処理時に、前記タッチパネルの走査電極となる対向電極には、前記タッチパネル走査電圧が印加され、前記メモリ素子に記憶されたキャリブレーションデータに対応するキャリブレーションデータ電圧を生成し、対応するキャリブレーション容量素子の前記他端に供給する手段とを有することを特徴とする液晶表示装置。
【請求項３】
第１基板と、
第２基板と、
前記第１基板と前記第２基板との間に狭持される液晶とを有する液晶表示パネルを備え、マトリクス状に配置された複数の画素を有する液晶表示装置であって、
前記第２基板は、タッチパネルの検出電極を有し、
前記各画素は、画素電極と対向電極とを有し、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、前記各ブロックの対向電極には画像表示に用いられる対向電圧と、タッチ位置の検出に用いられるタッチパネル走査電圧が印加され、
前記各検出電極毎に設けられ、一端が前記各検出電極に接続されるキャリブレーション容量素子を有し、
タッチ位置検出処理前に、
前記検出電極に基準電圧がプリチャージされて、キャリブレーション容量の前記一端に基準電圧が印加され、かつ、前記キャリブレーション容量の他端に基準電圧が印加され、
タッチ位置検出処理時に、
前記走査電極には、タッチパネル走査電圧が印加され、
かつ、前記各キャリブレーション容量素子の前記他端にキャリブレーション電圧を供給してタッチ位置を検出し、
互いに隣接する２つの検出電極の短絡試験時に、一端が奇数列の検出電極に接続されるキャリブレーション容量素子の他端に電荷が引き抜かれないキャリブレーション電圧Ａを供給し、一端が偶数列の検出電極に接続されるキャリブレーション容量素子の他端に充分に電荷を引き抜けるキャリブレーション電圧Ｂを供給し、タッチ位置検出処理を実行する手段を有することを特徴とする液晶表示装置。
【請求項４】
第１基板と、
第２基板と、
前記第１基板と前記第２基板との間に狭持される液晶とを有する液晶表示パネルを備え、マトリクス状に配置された複数の画素を有する液晶表示装置であって、
前記第２基板は、タッチパネルの検出電極を有し、
前記各画素は、画素電極と対向電極とを有し、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、前記各ブロックの対向電極には画像表示に用いられる対向電圧と、タッチ位置の検出に用いられるタッチパネル走査電圧が印加され、
前記各検出電極毎に設けられ、一端が前記各検出電極に接続されるキャリブレーション容量素子と、
前記各検出電極と前記分割された各ブロックの対向電極との交点毎のキャリブレーションデータを記憶するメモリ素子とを有し、
タッチ位置検出処理前に、
前記検出電極に基準電圧がプリチャージされて、キャリブレーション容量の前記一端に基準電圧が印加され、かつ、前記キャリブレーション容量の他端に基準電圧が印加され、
タッチ位置検出処理時に、
前記走査電極には、タッチパネル走査電圧が印加され、
かつ、前記各キャリブレーション容量素子の前記他端にキャリブレーション電圧を供給してタッチ位置を検出し、
互いに隣接する２つの検出電極の短絡試験時に、奇数列の検出電極と前記分割された各ブロックの対向電極との交点毎のキャリブレーションデータとして、電荷が引き抜かれないキャリブレーションデータＡを記憶し、偶数列の検出電極と前記分割された各ブロックの対向電極との交点毎のキャリブレーションデータとして、充分に電荷を引き抜けるキャリブレーションデータＢを記憶し、
前記互いに隣接する２つの検出電極の短絡試験時に、前記メモリ素子に記憶されたキャリブレーションデータＡに対応するキャリブレーションデータ電圧Ａを生成して、一端が奇数列の検出電極に接続されるキャリブレーション容量素子の他端に供給するとともに、
前記メモリ素子に記憶されたキャリブレーションデータＢに対応するキャリブレーションデータ電圧Ｂを生成して、一端が偶数列の検出電極に接続されるキャリブレーション容量素子の他端に供給し、タッチ位置検出処理を実行する手段を有することを特徴とする液晶表示装置。
【請求項５】
第１基板と、
第２基板と、
前記第１基板と前記第２基板との間に狭持される液晶とを有する液晶表示パネルを備え、マトリクス状に配置された複数の画素を有する液晶表示装置であって、
前記第２基板は、タッチパネルの検出電極を有し、
前記各画素は、画素電極と対向電極とを有し、
前記対向電極は、複数のブロックに分割されており、
前記分割された各ブロックの対向電極は、連続する複数の表示ラインの各画素に対して共通に設けられており、
前記分割された各ブロックの対向電極は、前記タッチパネルの走査電極を兼用し、前記各ブロックの対向電極には画像表示に用いられる対向電圧と、タッチ位置の検出に用いられるタッチパネル走査電圧が印加され、
前記各検出電極毎に設けられ、前記各検出電極に接続される複数の積分回路と、
前記各検出電極毎に設けられ、一端が前記各検出電極に接続されるキャリブレーション容量素子と、
前記各検出電極と前記分割された各ブロックの対向電極との交点毎のキャリブレーションデータを記憶するメモリ素子とを有し、
タッチ位置検出処理前に、
前記検出電極に基準電圧がプリチャージされて、キャリブレーション容量の前記一端に基準電圧が印加され、かつ、前記キャリブレーション容量の他端に基準電圧が印加され、
タッチ位置検出処理時に、
前記走査電極には、タッチパネル走査電圧が印加され、
かつ、前記各キャリブレーション容量素子の前記他端にキャリブレーション電圧を供給してタッチ位置を検出し、
互いに隣接する２つの検出電極の短絡試験時に、奇数列の検出電極と前記分割された各ブロックの対向電極との交点毎のキャリブレーションデータとして、電荷が引き抜かれないキャリブレーションデータＡを記憶し、偶数列の検出電極と前記分割された各ブロックの対向電極との交点毎のキャリブレーションデータとして、充分に電荷を引き抜けるキャリブレーションデータＢを記憶し、
前記互いに隣接する２つの検出電極の短絡試験時に、前記メモリ素子に記憶されたキャリブレーションデータＡに対応するキャリブレーションデータ電圧Ａとして、ＶＲＥＦの基準電圧を生成して、一端が奇数列の検出電極に接続されるキャリブレーション容量素子の他端に供給するとともに、前記メモリ素子に記憶されたキャリブレーションデータＢに対応するキャリブレーションデータ電圧Ｂとして、前記各積分回路に供給されるＧＮＤの電圧を生成して、一端が偶数列の検出電極に接続されるキャリブレーション容量素子の他端に供給し、タッチ位置検出処理を実行する手段を有することを特徴とする液晶表示装置。
【請求項６】
前記各検出電極と前記各積分回路との間に接続される第１のスイッチ回路と、
前記各検出電極にＶＲＥＦの基準電圧を供給する第２のスイッチ回路と、
前記各キャリブレーション容量素子の他端に、キャリブレーションデータ電圧あるいはＶＲＥＦの基準電圧を供給する第３のスイッチ回路とを有し、
前記分割された各ブロックの対向電極にタッチパネル走査電圧を供給する前に、前記第１のスイッチ回路をオフ、前記第２のスイッチ回路をオンとし、前記第３のスイッチ回路により前記各キャリブレーション容量素子の他端に前記ＶＲＥＦの基準電圧を供給し、
前記分割された各ブロックの対向電極にタッチパネル走査電圧を供給している時に、前記第１のスイッチ回路をオン、前記第２のスイッチ回路をオフとし、前記第３のスイッチ回路により前記各キャリブレーション容量素子の他端に前記キャリブレーションデータ電圧を供給することを特徴とする請求項５に記載の液晶表示装置。